(57)【特許請求の範囲】
【請求項１】
無線ＬＡＮのアクセスポイントと通信できるように無線ＬＡＮ端末の通信パラメータを設定する無線ＬＡＮ端末設定方法において、
前記無線ＬＡＮ端末は、前記アクセスポイントから送信される場所情報から無線通信を行う場所を判別し、前記場所情報と通信パラメータとを対応付けた場所情報データベースを参照して前記場所の通信パラメータを決定し、前記通信パラメータを設定して前記アクセスポイントと通信を行うようにして成り、前記場所情報データベースを参照して屋外使用不可の場所であると判定した場合、ネットワークを検索するスキャニング方式をパッシブスキャニングに設定することにより、送信できないチャネルに対して信号を自身から送信しないようにすることを特徴とする無線ＬＡＮ端末設定方法。
【請求項２】
前記アクセスポイントから送信される場所情報は、ビーコン又はプローブ応答に含まれる国又は地域情報であることを特徴とする請求項１記載の無線ＬＡＮ端末設定方法。
【請求項３】
前記通信パラメータには、送信出力、チャネル周波数、屋内外使用可否のいずれか１つ以上のパラメータが含まれることを特徴とする請求項１又は２記載の無線ＬＡＮ端末設定方法。
【請求項４】
前記無線ＬＡＮ端末は、携帯電話機能又はＰＨＳ機能を有し、前記アクセスポイントの代わりに携帯電話又はＰＨＳの基地局から前記場所情報を入手して該場所情報に対応する通信パラメータを設定することを特徴とする請求項１乃至３のいずれか一に記載の無線ＬＡＮ端末設定方法。
【請求項５】
無線ＬＡＮのアクセスポイントと通信する無線ＬＡＮ端末において、
場所情報と通信パラメータとを対応付けた場所情報データベースを記憶する記憶手段と、
前記アクセスポイントとの間で通信を行う通信手段と、
前記場所情報データベースを参照して、前記通信手段が前記アクセスポイントから受信した場所情報に対応する通信パラメータを決定する決定手段と、
前記通信パラメータを前記通信手段に設定して前記アクセスポイントとの通信を行うように制御する制御手段とを備えて成り、
前記制御手段は、前記場所情報データベースを参照して屋外使用不可の場所であると判定した場合、ネットワークを検索するスキャニング方式をパッシブスキャニングに設定することにより、送信できないチャネルに対して信号を自身から送信しないように前記通信手段を制御することを特徴とする無線ＬＡＮ端末。
【請求項６】
前記アクセスポイントから送信される場所情報は、ビーコン又はプローブ応答に含まれる国又は地域情報であることを特徴とする請求項５記載の無線ＬＡＮ端末。
【請求項７】
前記通信パラメータには、送信出力、チャネル周波数、屋内外使用可否のいずれか１つ以上のパラメータが含まれることを特徴とする請求項５又は６記載の無線ＬＡＮ端末。
【請求項８】
携帯電話基地局と通信を行う携帯電話通信手段又はＰＨＳ基地局と通信を行うＰＨＳ通信手段を有し、
携帯電話通信手段又はＰＨＳ通信手段が、前記アクセスポイントの代わりに携帯電話又はＰＨＳの基地局から前記場所情報を入手し、
前記決定手段は、前記場所情報データベースを参照して、前記携帯電話通信手段又はＰＨＳ通信手段が入手した前記場所情報に対応する通信パラメータを決定し、
前記制御手段は、前記通信パラメータを前記通信手段に設定して前記アクセスポイントとの通信を行うように制御することを特徴とする請求項５乃至７のいずれか一に記載の無線ＬＡＮ端末。
【発明の詳細な説明】
【技術分野】
【０００１】
本発明は、無線ＬＡＮ（Local Area Network）における無線ＬＡＮ端末の通信態様（パラメータ）を設定する無線ＬＡＮ設定方法及び前記無線ＬＡＮ設定方法に適した無線ＬＡＮ端末に関する。
【背景技術】
【０００２】
従来から、移動体無線端末を用いた無線通信システムが開発されている（例えば、特許文献１〜４参照）。
特に近年、インターネットの普及に伴い、無線ＬＡＮのサービスエリアが拡大し、自宅や会社の他に空港や飲食店などのホットスポットでの無線ＬＡＮサービスが広がっている。さらには無線ＬＡＮ機器を海外に持っていった場合でも、無線ＬＡＮサービスを利用できる場所が増えており、日本にいるときと同じ感覚で無線ＬＡＮサービスを利用することができるようになっている。
【０００３】
しかしながら、海外で無線ＬＡＮを使用する場合、国別に送信出力や使用可能チャネルなどの規定が定められており、無線ＬＡＮ通信を行う場合はその国で定められた法規にのっとって電波を発しなければならない。そのために接続設定等をユーザが変更しなければならなかった。また、屋内屋外の使用可否についても規定されているため、使用可能なチャネルであっても屋内または屋外で使用できない場合があっても、個別に設定する手段がなかった。
【０００４】
例えば、特許文献１、２に記載された発明では、製造番号や電話番号等の識別データを利用して、前記識別データと検出した周波数情報をリンクさせて接続する方法がとられている。また、利用する周波数帯域を検索して周波数情報を入手するようにしている。
したがって、識別データを利用して通信を行うため、自由度が小さく又、どの様な形態で通信すればよいかの情報、例えば、周波数情報等の入手に手間がかかるという問題がある。
【０００５】
また、無線ＬＡＮは国または地域によって屋外での利用が禁止等されている場合があるが、前記各特許文献１〜４に記載された発明では、これに対応することができないという問題がある。
また、特許文献４においては、パーソナルコンピュータ（ＰＣ）等に設定されたタイムゾーン情報により所属する国を判別し、その国に合致する設定を行う無線システムが提案されているが、単純に時刻を設定するだけの無線ＬＡＮ機器の場合はタイムゾーン情報を持ち合わせていないため、設定方法として有効ではないという問題がある。
【０００６】
【特許文献１】特開２００４−２７４７２３号公報
【特許文献２】特開２００５−２４５０２１号公報
【特許文献３】特開２００５−２７７５７７号公報
【特許文献２】特許第３８９０２９０号公報
【発明の開示】
【発明が解決しようとする課題】
【０００７】
本発明は、無線ＬＡＮ端末の通信パラメータを簡単な構成で容易に設定することができるようにすることを課題としている。
【課題を解決するための手段】
【０００８】
本発明によれば、無線ＬＡＮのアクセスポイントと通信できるように無線ＬＡＮ端末の通信パラメータを設定する無線ＬＡＮ端末設定方法において、前記無線ＬＡＮ端末は、前記アクセスポイントから送信される場所情報から無線通信を行う場所を判別し、前記場所情報と通信パラメータとを対応付けた場所情報データベースを参照して前記場所の通信パラメータを決定し、前記通信パラメータを設定して前記アクセスポイントと通信を行うことを特徴とする無線ＬＡＮ端末設定方法が提供される。
無線ＬＡＮ端末は、アクセスポイントから送信される場所情報から無線通信を行う場所を判別し、場所情報と通信パラメータとを対応付けた場所情報データベースを参照して前記場所の通信パラメータを決定し、前記通信パラメータを設定して前記アクセスポイントと通信を行う。
【０００９】
ここで、前記無線ＬＡＮ端末は、前記場所情報データベースを参照してネットワークを検索するスキャニング方式を変更することにより、屋内外使用可否に対応するように構成してもよい。
また、前記無線ＬＡＮ端末は、前記場所情報データベースを参照して屋外使用不可の場所であると判定した場合、前記スキャニング方式をパッシブスキャニングに設定することにより、送信できないチャネルに対して信号を自身から送信しないように構成してもよい。
【００１０】
また、前記アクセスポイントから送信される場所情報は、ビーコン又はプローブ応答に含まれる国又は地域情報であるように構成してもよい。
また、前記通信パラメータには、送信出力、チャネル周波数、屋内外使用可否のいずれか１つ以上のパラメータが含まれるように構成してもよい。
また、前記無線ＬＡＮ端末は、携帯電話機能又はＰＨＳ機能を有し、前記アクセスポイントの代わりに携帯電話又はＰＨＳの基地局から前記場所情報を入手して該場所情報に対応する通信パラメータを設定するように構成してもよい。
【００１１】
また、本発明によれば、無線ＬＡＮのアクセスポイントと通信する無線ＬＡＮ端末において、場所情報と通信パラメータとを対応付けた場所情報データベースを記憶する記憶手段と、前記アクセスポイントとの間で通信を行う通信手段と、前記場所情報データベースを参照して、前記通信手段が前記アクセスポイントから受信した場所情報に対応する通信パラメータを決定する決定手段と、前記通信パラメータを前記通信手段に設定して前記アクセスポイントとの通信を行うように制御する制御手段とを備えて成ることを特徴とする無線ＬＡＮ端末が提供される。
決定手段は、場所情報データベースを参照して、通信手段がアクセスポイントから受信した場所情報に対応する通信パラメータを決定する。制御手段は、通信パラメータを通信手段に設定して前記アクセスポイントとの通信を行うように制御する。
【００１２】
ここで、前記制御手段は、前記場所情報データベースを参照してネットワークを検索するスキャニング方式を変更するように前記通信パラメータを設定することにより、屋内外使用可否に対応するように構成してもよい。
また、前記制御手段は、前記場所情報データベースを参照して屋外使用不可の場所であると判定した場合、前記スキャニング方式をパッシブスキャニングに設定することにより、送信できないチャネルに対して信号を自身から送信しないように前記通信手段を制御するように構成してもよい。
【００１３】
また、前記アクセスポイントから送信される場所情報は、ビーコン又はプローブ応答に含まれる国又は地域情報であるように構成してもよい。
また、前記通信パラメータには、送信出力、チャネル周波数、屋内外使用可否のいずれか１つ以上のパラメータが含まれるように構成してもよい。
【００１４】
また、携帯電話基地局と通信を行う携帯電話通信手段又はＰＨＳ基地局と通信を行うＰＨＳ通信手段を有し、携帯電話通信手段又はＰＨＳ通信手段が、前記アクセスポイントの代わりに携帯電話又はＰＨＳの基地局から前記場所情報を入手し、前記決定手段は、前記場所情報データベースを参照して、前記携帯電話通信手段又はＰＨＳ通信手段が入手した前記場所情報に対応する通信パラメータを決定し、前記制御手段は、前記通信パラメータを前記通信手段に設定して前記アクセスポイントとの通信を行うように制御するよう構成してもよい。
【発明の効果】
【００１５】
本発明に係る無線ＬＡＮ端末設定方法によれば、無線ＬＡＮ端末の通信態様を容易に設定することが可能になる。
また、本発明に係る無線ＬＡＮ端末によれば、通信態様を容易に設定することが可能になる。
【発明を実施するための最良の形態】
【００１６】
先ず、本発明の実施の形態に係る無線ＬＡＮ（Local Area Network）端末設定方法及び無線ＬＡＮ端末の概要を説明する。
本実施の形態では、無線ＬＡＮアクセスポイントからの信号（例えばビーコン（Ｂｅａｃｏｎ）やプローブリクエスト（Ｐｒｏｂｅ  Ｒｅｑｕｅｓｔ）に含まれるＣｏｕｎｔｒｙ  ＩＥ情報より場所情報（国または地域情報）を入手し、あらかじめ保持していた国別の場所情報データベースより使用しようとしている国または地域を判別し、その場所（国又は地域）で使用することができる通信パラメータ（送信出力、チャネル周波数、屋内外使用可否の中の少なくとも１つ以上の通信パラメータを含むことができる。）を無線ＬＡＮ端末に自動設定することができる。
【００１７】
また携帯電話機能付き無線ＬＡＮ端末の場合、Ｗ−ＣＤＭＡ方式等の３Ｇ（３ｒｄ  Ｇｅｎｅｒａｔｉｏｎ；第３世代の携帯電話方式）またはＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）基地局情報に含まれる国コード（Ｃｏｕｎｔｒｙ  Ｃｏｄｅ）により、同様な設定を行うことができるように構成している。
【００１８】
以下、本発明の実施の形態について詳細に説明する。
図１は、本発明の第１の実施の形態に係る無線ＬＡＮ端末設定方法に使用する無線ＬＡＮシステムのブロック図である。
図１において、無線ＬＡＮシステムは、無線ＬＡＮ端末１０、無線ＬＡＮ端末１０と無線によって通信を行う無線ＬＡＮのアクセスポイント１１とを備えている。
【００１９】
無線ＬＡＮ端末１０は、国情報判定部１３、通信パラメータ等を格納した国別情報データベースを記憶する記憶部１４、送信出力制御部１５、スキャン（Ｓｃａｎ）チャネル設定部１６、スキャン方式設定部１７、設定された通信パラメータで通信を行う無線通信部１８を備えている。
アクセスポイント１１は国情報（Ｃｏｕｎｔｒｙ  ＩＥ）１２を保有しており、所定の通信を行う際に無線ＬＡＮ端末１０に前記国情報を送信する。
【００２０】
ここで、手段を構成している。記憶部１４は記憶手段を構成し、無線通信部１８は通信手段を構成し、国情報判定部１３は決定手段を構成している。また、送信出力制御部１５、Ｓｃａｎチャネル設定部１６及びＳｃａｎ方式設定部１７は制御手段を構成している。
記憶手段は、場所情報と通信パラメータとを対応付けた場所情報データベースを記憶することができる。
【００２１】
通信手段は、アクセスポイント１１との間で通信を行うことができる。
決定手段は、場所情報データベースを参照して、通信手段がアクセスポイント１１から受信した場所情報に対応する通信パラメータを決定することができる。
制御手段は、通信パラメータを通信手段に設定してアクセスポイント１１との通信を行うように制御することができる。
また、制御手段は、場所情報データベースを参照してネットワークを検索するスキャニング方式を変更するように通信パラメータを設定することにより、屋内外使用可否に対応することができる。
【００２２】
また、制御手段は、場所情報データベースを参照して屋外使用不可の場所であると判定した場合、スキャニング方式をパッシブスキャニングに設定することにより、送信できないチャネルに対して信号を自身から送信しないように通信手段を制御することができる。
アクセスポイント１１から送信される場所情報は、ビーコン又はプローブ応答に含まれる国又は地域情報であるようにすることができる。
通信パラメータには、送信出力、チャネル周波数、屋内外使用可否のいずれか１つ以上のパラメータが含まれるようにすることができる。
【００２３】
無線ＬＡＮネットワークに接続された無線ＬＡＮアクセスポイント１１は、ビーコン（Ｂｅａｃｏｎ；報知情報）やプローブ応答（Ｐｒｏｂｅ  Ｒｅｓｐｏｎｓｅ）にＣｏｕｎｔｒｙ  ＩＥと呼ばれる国情報１２を通知する。
このＣｏｕｎｔｒｙ  ＩＥの仕様についてはＩＥＥＥ１１ｄにて規定されており、通知されるＣｏｕｎｔｒｙ  Ｉｎｆｏｒｍａｔｉｏｎ  Ｅｌｅｍｅｎｔの内容を図２に示す。Ｃｏｕｎｔｒｙ  Ｉｎｆｏｒｍａｔｉｏｎ  Ｅｌｅｍｅｎｔにより国コード、使用チャネル、送信パワー情報（例えば最大送信出力）が通知される。
【００２４】
無線ＬＡＮ端末１０は予め記憶部１４に記憶している国別情報データベース１４とアクセスポイント１１から取得した国情報１２とを用いて、国情報判定部１３にて無線ＬＡＮシステムを使用する国または地域で使うことができる最大送信出力およびチャネルを決定して、それぞれ送信出力制御部１５およびスキャン（Ｓｃａｎ）チャネル設定部１６に設定する。送信出力制御部１５およびＳｃａｎチャネル設定部１６は、無線通信部１８の通信パラメータを国情報判定部１３によって設定された送信出力およびチャネル周波数に設定し、該パラメータで通信を行うように無線通信部１８を制御する。
【００２５】
送信出力について、例えばイギリスの場合、送信可能な最大送信出力値は１００ｍＷであるので、国情報判定部１３から送信出力制御部１５に最大１００ｍＷの情報が伝達される。無線ＬＡＮ端末１０の最大送信出力が１００ｍＷ以上である場合は、送信出力制御部１５にて、無線通信部１８が出力する最大送信出力値を１００ｍＷに設定することで送信出力を設定値以下に抑えることができる。また、無線ＬＡＮ端末１０の最大出力が１００ｍＷ以下である場合は、設定しようとしている送信出力値がすでに無線ＬＡＮ端末１０の送信能力を上回っているため、国情報判定部１３から伝達された設定値ではなく、無線ＬＡＮ端末１０の無線通信部１８が持つ最大送信出力値に設定される。
【００２６】
次にスキャンチャネルについては、国情報判定部１３から使用可能なチャネルがｓｃａｎチャネル設定部１６に通知され、当該チャネルがＳｃａｎチャネル設定部１６に設定される。例えばオーストリアの場合、８０２．１１ｂモードおよび８０２．１１ｇモードでは１チャネル（ｃｈ）から１１ｃｈ（２４１２ＭＨｚ〜２４６２ＭＨｚ）、８０２．１１ａモードでは３６、４０、４４、４８ｃｈのみ使用することができる。
【００２７】
したがって、スキャン候補チャネルとしては、８０２．１１ｂモードおよび８０２．１１ｇモードでは１ｃｈから１１ｃｈ（２４１２ＭＨｚ〜２４６２ＭＨｚ）、８０２．１１ａモードでは３６、４０、４４、４８ｃｈのみ使用できるよう、それ以外のチャネルに対してはスキャン及び電波の送信を実施できないように設定する。
また、無線ＬＡＮ端末１０によっては設定プロファイルにて予めいくつかのチャネルのみスキャンするように設定されている場合がある。
【００２８】
その場合、すでにプロファイルに設定されているチャネルのうちでスキャンチャネル設定部１６に設定されたチャネルに該当するチャネル以外のチャネルがある時は、使用不可チャネルを除いたチャネルでスキャンするように設定することができる。
さらに、気象レーダなどとの干渉を避けるために日本での８０２．１１ａでは５２、５６、６０、６４ｃｈは屋外の使用が禁止されている。また、フランスでは日本や他の多くの国で使用することが可能な８０２．１１ｂ及び８０２．１１ｇの８ｃｈから１１ｃｈ（２４４７ＭＨｚ〜２４６２ＭＨｚ）の屋外使用が禁止されている。
【００２９】
屋外かどうかの判定は、屋内に設置されたアクセスポイントからの信号を受信できるかどうかで確認することができる。接続したいアクセスポイントまたはＳＳＩＤ（Ｓｅｒｖｉｃｅ  Ｓｅｔ  Ｉｄｅｎｔｉｆｉｅｒ）がある場合、通常、アクティブスキャン（Ａｃｔｉｖｅ  Ｓｃａｎ）を実施し、プローブ要求（Ｐｒｏｂｅ  Ｒｅｑｕｅｓｔ）を投げて応答のある、もしくは最も受信レベルの高いアクセスポイントに帰属することができる。
【００３０】
しかしながら、屋外にいる場合、屋外使用不可のチャネルに対してプローブ要求を送信してしまうと、電波送信してしまうことになるため規定違反となってしまう。これを防ぐためには、スキャン時にいきなりアクティブスキャンを実施するのではなく、屋外使用不可の場合はパッシブスキャン（Ｐａｓｓｉｖｅ  Ｓｃａｎ）を実施しアクセスポイントからのビーコン（Ｂｅａｃｏｎ）情報を監視し、アクセスポイントが見つかった場合にアクティブスキャンを実施する必要がある。
【００３１】
このように、Ｓｃａｎ方式設定部１７では、Ｓｃａｎチャネル設定部１６に設定されたチャネルと連動して、屋外使用可否に応じてスキャン方式をアクティブスキャンもしくはパッシブスキャンに切り替えることができる機能を備える。即ち、Ｓｃａｎチャネル設定部１７は、無線通信部１８の通信パラメータが屋内外使用可能か否かに応じて、スキャン方式をアクティブスキャンもしくはパッシブスキャンに切り替えるように無線通信部１８を制御する。
国情報は無線ＬＡＮ端末１０の電源オフもしくは無線通信が圏外状態（即ち非接続状態）になるまで保持し、設定された各設定は継続使用することができる。電源オンもしくは圏外状態から復帰したい場合は、飛行機もしくは陸路移動により所在する国または地域が変更された可能性があるため、再び国情報の判定を行う必要がある。
【００３２】
図３は国別情報データベースの例であり、にこれまでの説明で参照した国および日本の最大送信出力、使用可能チャネルおよび屋内外使用可否についてまとめたものを参考として示している。使用できるパラメータを●で示している。
屋外に持ち出す無線ＬＡＮ端末としては主にパーソナルコンピュータ（ＰＣ）があるが、近年では携帯電話機能付き無線ＬＡＮ端末も利用されるようになってきている。携帯電話機能付き無線ＬＡＮ端末では無線ＬＡＮネットワークといっしょに３ＧまたはＧＳＭネットワークを利用することができる。国情報の入手方法として、アクセスポイントから送信されるビーコンやプローブ要求に含まれるＣｏｕｎｔｒｙ  ＩＥ以外に、３ＧまたはＧＳＭの基地局情報に含まれる国コード（Ｃｏｕｎｔｒｙ  Ｃｏｄｅ）より入手することも可能である。
【００３３】
以上述べたように本発明の第１の実施の形態では、無線ＬＡＮ端末１０の無線通信部１８はアクセスポイント１１から場所情報を受信する。国情報判定部１３は前記場所情報から無線通信を行おうとしている場所を判別し、記憶部１４に記憶され前記場所情報と通信パラメータとを対応付けた国別情報データベースを参照して前記場所の通信パラメータ（送信出力、チャネル周波数、屋内外使用可否）を判定し、送信出力制御部１５、Ｓｃａｎチャネル設置部１６、Ｓｃａｎ方式設定部１７に対して各々、送信出力、チャネル周波数、屋内外使用可否に関する通信パラメータを送信する。送信出力制御部１５、Ｓｃａｎチャネル設置部１６、Ｓｃａｎ方式設定部１７は各々、無線通信部１８に送信出力、チャネル周波数、屋内外使用可否に関する通信パラメータを設定して、アクセスポイント１１と通信を行う。
【００３４】
このようにして、アクセスポイント１１のビーコン又はプローブ要求に含まれるＣｏｕｎｔｒｙ  ＩＥ情報より場所情報（国または地域情報）を入手し、予め保持していた国別情報データベースより使用しようとしている場所（例えば国または地域）を判別し、その国で使用することができる送信出力、チャネル周波数、屋内外使用可否の少なくとも１つを容易に設定することができる。
【００３５】
また、製造者番号や電話番号等の識別データを使用することなく、無線ＬＡＮのアクセスポイン１１と接続し又、アクセスポイント１１から送信するビーコンに含まれる国コード（Ｃｏｕｎｔｒｙ  Ｃｏｄｅ）を認知し、場所情報（例えば国または地域コード）をデータとして保持し、予め無線ＬＡＮ端末の記憶手段に周波数、出力レベルの情報を含んだ国別情報テーブルを保持することで、場所情報（例えば国または地域）を判別することで通信パラメータ（例えば利用可能な周波数と出力レベル）を無線ＬＡＮ端末の無線通信部１８に設定して、該通信パラメータを用いて通信することができる。
【００３６】
また、無線ＬＡＮ端末は、国または地域によって屋外での利用が禁止されている場合があり、屋外でいきなり電波を放射しないよう、アクセスポイントの検出を行う方法を切り替える必要がある。検出方法にはアクティブ方式とパッシブ方式があるが、無線ＬＡＮ端末の検出設定がアクティブ方式であればパッシブ方式に切替え設定するように構成しているため、無線ＬＡＮ端末を使用する場所に応じた適切な使用が可能になる。
【００３７】
図４は、本発明の第２の実施の形態に係る無線ＬＡＮ端末設定方法に使用する無線ＬＡＮシステムのブロック図であり、携帯電話機能付き無線ＬＡＮ端末４０を使用した無線ＬＡＮ端末て３ＧネットワークあるいはＧＳＭネットワークを利用したシステムの例を示している。図１と同一部分には同一符号を付している。
ここで、携帯電話通信部４１は、携帯電話基地局４２と通信を行う携帯電話通信手段を構成している。携帯電話機能付きではなく、ＰＨＳ機能付きであってもよい。この場合、携帯電話通信部４１の代わりに、ＰＨＳ基地局（図示せず）と通信を行うＰＨＳ通信部をＰＨＳ通信手段として設けるようにする。
【００３８】
図４の場合も図１と同様に、無線ＬＡＮ４０が記憶部１４に予め保持している国別情報データベースと３ＧまたはＧＳＭの携帯電話基地局４２に含まれる国コード（Ｃｏｕｎｔｒｙ  Ｃｏｄｅ）２２から国情報判定部１３で使用しようとしている国を判定し、無線通信部１８の最大送信出力値を送信出力制御部１５に、使用可能なチャネルをＳｃａｎチャネル設定部１６に、Ｓｃａｎチャネル設定部に設定されたチャネルに連動して屋外使用可否にあわせてＳｃａｎ方式設定部１７にスキャン方式を設定することができる。
また携帯電話機能付き無線ＬＡＮ端末の場合、３ＧまたはＧＳＭ基地局情報に含まれる国コードにより、同様な設定を行うことができる。これにより、ユーザが意識することなくその国の規定にのっとった無線ＬＡＮネットワークを利用することが可能となる。
【００３９】
尚、無線ＬＡＮ端末として、無線ＬＡＮ機能を有する端末のみならず、携帯電話、ＰＨＳ（Personal Handyphone System）、ＰＤＡ（Personal Data Assistance,Personal Digital Assistants：個人向け携帯型情報通信機器）、パソコン等の通信機能を有する無線ＬＡＮ端末に適用可能である。また、これらの無線ＬＡＮ端末を用いた無線ＬＡＮ端末設定方法に適用可能である。
【産業上の利用可能性】
【００４０】
無線ＬＡＮ機能のみを有する無線ＬＡＮ端末のみならず、携帯電話、ＰＨＳ、ＰＤＡ等の通信機能を有する無線ＬＡＮ端末に利用可能である。また、前記無線ＬＡＮ端末を用いた無線ＬＡＮ端末設定方法に利用可能である。
【図面の簡単な説明】
【００４１】
【図１】本発明の第１の実施の形態に係る無線ＬＡＮ端末設定方法に使用する無線ＬＡＮシステムのブロック図である。
【図２】本発明の第１の実施の形態において使用するＣｏｕｎｔｒｙ  Ｉｎｆｏｒｍａｔｉｏｎ  Ｅｌｅｍｅｎｔの内容を示す図である。
【図３】本発明の第１の実施の形態において使用する国別情報データベースを示す図である。
【図４】本発明の第２の実施の形態に係る無線ＬＡＮ端末設定方法に使用する無線ＬＡＮシステムのブロック図である。
【符号の説明】
【００４２】
１０、４０・・・無線ＬＡＮ端末
１１・・・アクセスポイント
１２・・・国情報（Ｃｏｕｎｔｒｙ  ＩＥ）
１３・・・国情報判定部
１４・・・記憶部
１５・・・送信出力制御部
１６・・・スキャン（Ｓｃａｎ）チャネル設定部
１７・・・スキャン方式設定部
１８・・・無線通信部
４１・・・携帯電話通信部
４２・・・携帯電話基地局
４３・・・国コード
【図１】
0005018440.tif 000002
【図２】
0005018440.tif 000003
【図３】
0005018440.tif 000004
【図４】
0005018440.tif 000005